(57)【要約】【課題】動き補償型のＦＲＣ機能を備えた画像表示装置において、画像破綻時にＦＲＣの効果を維持しながら、画像破綻による画質劣化を軽減する。【解決手段】液晶表示装置は、入力画像信号のフレーム間あるいはフィールド間に、動き補償処理を施した画像信号を内挿することにより、入力画像信号のフレーム数あるいはフィールド数を変換して液晶表示パネル１６へ出力するＦＲＣ部１０と、入力画像信号のフレーム間あるいはフィールド間に内挿される内挿画像信号の画像破綻の程度を推定する動きベクトル検出部１１ｅとを備える。ＦＲＣ部１０は、動きベクトル検出部１１ｅにより内挿画像信号の内挿画像が破綻すると推定された場合、内挿画像信号の輝度レベルを入力画像信号の輝度レベルよりも低くする。【選択図】図３
2009258269.tif 000002
【特許請求の範囲】
【請求項１】
入力画像信号のフレーム間あるいはフィールド間に、動き補償処理を施した画像信号を内挿することにより、前記入力画像信号のフレーム数あるいはフィールド数を変換して表示パネルへ出力するレート変換手段を備えた画像表示装置であって、
前記入力画像信号のフレーム間あるいはフィールド間に内挿される内挿画像信号の画像破綻の程度を推定する画像破綻推定手段を備え、
前記レート変換手段は、前記画像破綻推定手段により前記内挿画像信号の内挿画像が破綻すると推定された場合、前記内挿画像信号の輝度レベルを前記入力画像信号の輝度レベルよりも低くすることを特徴とする画像表示装置。
【請求項２】
請求項１に記載の画像表示装置において、前記レート変換手段は、前記内挿画像の破綻の程度に応じて、前記入力画像信号と前記内挿画像信号の輝度レベルを変化させることを特徴とする画像表示装置。
【請求項３】
請求項１又は２に記載の画像表示装置において、前記内挿画像が破綻すると推定された場合、前記画像表示装置に予め設定されている基準輝度レベルに対して、前記入力画像信号の輝度レベルを高くし、前記内挿画像信号の輝度レベルを低くし、前記入力画像信号と前記内挿画像信号の輝度レベルの平均が前記基準輝度レベルになるように制御することを特徴する画像表示装置。
【請求項４】
請求項１乃至３のいずれか１項に記載の画像表示装置において、前記画像破綻推定手段は、前記レート変換手段における動きベクトルの候補数に基づいて、前記内挿画像信号の画像破綻の程度を推定することを特徴とする画像表示装置。
【請求項５】
請求項１乃至３のいずれか１項に記載の画像表示装置において、前記画像破綻推定手段は、前記レート変換手段における内挿画像へのベクトル割付状態に基づいて、前記内挿画像信号の画像破綻の程度を推定することを特徴とする画像表示装置。
【請求項６】
請求項１乃至３のいずれか１項に記載の画像表示装置において、前記画像破綻推定手段は、前記レート変換手段における動きベクトルの交差数に基づいて、前記内挿画像信号の画像破綻の程度を推定することを特徴とする画像表示装置。
【請求項７】
請求項１乃至６のいずれか１項に記載の画像表示装置において、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを有することを特徴とする画像表示装置。
【発明の詳細な説明】
【技術分野】
【０００１】
本発明は、画像表示装置、より詳細には、フレームレートあるいはフィールドレートを変換する機能を備えた画像表示装置に関する。
【背景技術】
【０００２】
動画像を具現する用途に従来から主として用いられてきた陰極線管（ＣＲＴ：Cathode Ray Tube）に対して、ＬＣＤ（Liquid Crystal Display）は、動きのある画像を表示した場合に、観る者には動き部分の輪郭がぼけて知覚されてしまうという、所謂、動きぼけの欠点がある。この動きぼけは、ＬＣＤの表示方式そのものに起因することが指摘されている（例えば、特許文献１参照）。
【０００３】
電子ビームを走査して蛍光体を発光させて表示を行うＣＲＴでは、各画素の発光は蛍光体の若干の残光はあるものの概ねインパルス状になる。これをインパルス型表示方式という。一方、ＬＣＤでは、液晶に電界を印加することにより蓄えられた電荷が、次に電界が印加されるまで比較的高い割合で保持される。特に、ＴＦＴ方式の場合、画素を構成するドット毎にＴＦＴスイッチが設けられており、さらに通常は各画素に補助容量が設けられており、蓄えられた電荷の保持能力が極めて高い。このため、画素が次のフレームあるいはフィールド（以下、フレームで代表する）の画像情報に基づく電界印加により書き換えられるまで発光し続ける。これをホールド型表示方式という。
【０００４】
上記のようなホールド型表示方式においては、画像表示光のインパルス応答が時間的な広がりを持つため、時間周波数特性が劣化して、それに伴い空間周波数特性も低下し、動きぼけが生じる。すなわち、人の視線は動くものに対して滑らかに追従するため、ホールド型のように発光時間が長いと、時間積分効果により画像の動きがぎくしゃくして不自然に見えてしまう。
【０００５】
上記のホールド型表示方式における動きぼけを改善するために、フレーム間に画像を内挿することにより、フレームレート（フレーム数）を変換する技術が知られている。この技術は、ＦＲＣ（Frame Rate Converter）と呼ばれ、液晶表示装置等において実用化されている。
【０００６】
従来、フレームレートを変換する方法には、単に同一フレームの２回繰り返し読み出しや、フレーム間の直線内挿（線形補間）によるフレーム内挿などの各種の手法が知られている。しかしながら、線形補間によるフレーム内挿処理の場合、フレームレート変換に伴う動きの不自然さ（ジャーキネス、ジャダー）が発生するため、画質的には不十分なものであった。
【０００７】
そこで、上記ジャーキネスの影響等をなくして動画質を改善するために、動きベクトルを用いた動き補償型のフレーム内挿処理が提案されている。この動き補償処理によれば、動画像そのものをとらえて補正するため、解像度の劣化がなく、また、ジャーキネスの発生もなく、極めて自然な動画を得ることができる。さらに、内挿画像信号は動き補償して形成されるので、上述したホールド型表示方式に起因する動きぼけ妨害を十分に改善することが可能となる。
【０００８】
前述の特許文献１には、動き適応的に内挿フレームを生成することにより、表示画像のフレーム周波数を上げて、動きぼけの原因となる空間周波数特性の低下を改善するための技術が開示されている。これは、表示画像のフレーム間に内挿する少なくとも１つの内挿画像信号を、前後のフレームから動き適応的に形成し、形成した内挿画像信号をフレーム間に内挿して順次表示するようにしている。
【０００９】
図６は、従来の液晶表示装置におけるＦＲＣ駆動表示回路の概略構成を示すブロック図で、図中、ＦＲＣ駆動表示回路は、入力画像信号のフレーム間に動き補償処理を施した画像信号を内挿することにより入力画像信号のフレーム数を変換するＦＲＣ部１００と、ＦＲＣ部１００によりフレームレート変換された画像信号に基づいて液晶表示パネル１０４の走査電極及びデータ電極を駆動するための電極駆動部１０３と、液晶層と該液晶層に走査信号及びデータ信号を印加するための電極とを有するアクティブマトリクス型の液晶表示パネル１０４とを備えて構成される。
【００１０】
ＦＲＣ部１００は、入力画像信号から動きベクトル情報を検出する動きベクトル検出部１０１と、動きベクトル検出部１０１により得られた動きベクトル情報により内挿フレームを生成する内挿フレーム生成部１０２とを備える。
【００１１】
上記構成において、動きベクトル検出部１０１は、例えば、後述するブロックマッチング法や勾配法などを用いて動きベクトル情報を求めてもよいし、入力画像信号に何らかの形で動きベクトル情報が含まれている場合、これを利用してもよい。例えば、ＭＰＥＧ方式を用いて圧縮符号化された画像データには、符号化時に算出された動画像の動きベクトル情報が含まれており、この動きベクトル情報を取得する構成としてもよい。
【００１２】
図７は、図６に示した従来のＦＲＣ駆動表示回路によるフレームレート変換処理を説明するための図である。ＦＲＣ部１００は、動きベクトル検出部１０１より出力された動きベクトル情報を用いた動き補償により、フレーム間の内挿フレーム（図中グレーに色付けされた画像）を生成し、この生成された内挿フレーム信号を入力フレーム信号とともに、順次出力することで、入力画像信号のフレームレートを例えば毎秒６０フレーム（６０Ｈｚ）から毎秒１２０フレーム（１２０Ｈｚ）に変換する処理を行う。
【００１３】
図８は、動きベクトル検出部１０１及び内挿フレーム生成部１０２による内挿フレーム生成処理について説明するための図である。動きベクトル検出部１０１は、図７に示した例えばフレーム＃１とフレーム＃２から勾配法等により動きベクトル１０５を検出する。すなわち、動きベクトル検出部１０１は、フレーム＃１とフレーム＃２の１／６０秒間に、どの方向にどれだけ動いたかを測定することにより動きベクトル１０５を求める。次に、内挿フレーム生成部１０２は、求めた動きベクトル１０５を用いて、フレーム＃１とフレーム＃２間に内挿ベクトル１０６を割り付ける。この内挿ベクトル１０６に基づいてフレーム＃１の位置から１／１２０秒後の位置まで対象（ここでは自動車）を動かすことにより、内挿フレーム１０７を生成する。
【００１４】
このように、動きベクトル情報を用いて動き補償フレーム内挿処理を行い、表示フレーム周波数を上げることで、ＬＣＤ（ホールド型表示方式）の表示状態を、ＣＲＴ（インパルス型表示方式）の表示状態に近づけることができ、動画表示の際に生じる動きぼけによる画質劣化を改善することが可能となる。
【００１５】
ここで、上記動き補償フレーム内挿処理においては、動き補償のために動きベクトルの検出が不可欠となる。この動きベクトル検出の代表的な手法として、例えば、ブロックマッチング法、勾配法などが提案されている。勾配法においては、連続した２つのフレーム間で各画素または小さなブロック毎に動きベクトルを検出し、それにより２つのフレーム間の内挿フレームの各画素または各小ブロックを内挿する。すなわち、２つのフレーム間の任意の位置の画像を正しく位置補正して内挿することにより、フレーム数の変換を行う。
【００１６】
このような動き補償型のＦＲＣ処理において、映像の内容及び状態によっては内挿画像の破綻が発生しやすい場合がある。例えば、ＯＳＤ表示がある場合や、映像のＳ／Ｎが悪い場合、再生映像が特殊な場合などである。このような場合には、ＦＲＣをオフすることが一般的であるが、オンからオフにいきなり切り替えることは見た目の変化が大きく、視聴者が違和感を覚えることも多い。
【００１７】
一方、特許文献２には、上記と同様に、動画像の動的反応速度を改善することを目的として、フレーム期間内の非映像信号期間に黒画像を挿入する方法が記載されている。また、特許文献３，４には、フレーム間に原画像と同一画像を暗めにして（輝度を落として）挿入する方法が記載されている。
【００１８】
この同一フレームの挿入方法について図９に基づいて説明する。図９に示す例では、入力画像信号に含まれる入力フレームｆ１とｆ２間に入力フレームｆ１と同じフレームｉ１を暗めにして挿入し、入力フレームｆ２とｆ３間に入力フレームｆ２と同じフレームｉ２を暗めにして挿入している。このように入力フレーム間に入力フレームと同じフレームを、輝度を落として挿入することで、最大輝度の低下を抑えつつ、動的反応速度を向上させることができる。
【特許文献１】特許第３２９５４３７号明細書
【特許文献２】特開２００３−２９５１５６号公報
【特許文献３】特開２００５−１７３５７３号公報
【特許文献４】特開２００６−１７８４８８号公報
【発明の開示】
【発明が解決しようとする課題】
【００１９】
しかしながら、上記特許文献２〜４に記載の発明は、入力フレーム間に黒画像あるいは暗い（輝度を落とした）画像を挿入することで、動的反応速度を向上させるもので、動き補償型のＦＲＣ処理による画像破綻に対応したものではない。
【００２０】
また、特許文献３，４に記載の発明の場合、入力フレーム間に挿入する画像の輝度を落とす（暗くする）ほど、挿入画像と入力フレーム（原画像）との輝度差が大きくなり、動的反応速度は速くなるが、原画像の入力フレーム間に、動き補償処理を施した内挿画像ではなく、原画像と同一画像を挿入しているだけなので、動き補償によるＦＲＣの効果を得ることができず、動画表示の際に生じる動きぼけによる画質劣化を十分に改善することができない。
【００２１】
本発明は、上述のごとき実情に鑑みてなされたものであり、動き補償型のＦＲＣ機能を備えた画像表示装置において、画像破綻時にＦＲＣの効果を維持しながら、画像破綻による画質劣化を軽減すること、を目的とする。
【課題を解決するための手段】
【００２２】
上記課題を解決するために、本発明の第１の技術手段は、入力画像信号のフレーム間あるいはフィールド間に、動き補償処理を施した画像信号を内挿することにより、前記入力画像信号のフレーム数あるいはフィールド数を変換して表示パネルへ出力するレート変換手段を備えた画像表示装置であって、前記入力画像信号のフレーム間あるいはフィールド間に内挿される内挿画像信号の画像破綻の程度を推定する画像破綻推定手段を備え、前記レート変換手段は、前記画像破綻推定手段により前記内挿画像信号の内挿画像が破綻すると推定された場合、前記内挿画像信号の輝度レベルを前記入力画像信号の輝度レベルよりも低くすることを特徴としたものである。
【００２３】
第２の技術手段は、第１の技術手段において、前記レート変換手段は、前記内挿画像の破綻の程度に応じて、前記入力画像信号と前記内挿画像信号の輝度レベルを変化させることを特徴としたものである。
【００２４】
第３の技術手段は、第１又は第２の技術手段において、前記内挿画像が破綻すると推定された場合、前記画像表示装置に予め設定されている基準輝度レベルに対して、前記入力画像信号の輝度レベルを高くし、前記内挿画像信号の輝度レベルを低くし、前記入力画像信号と前記内挿画像信号の輝度レベルの平均が前記基準輝度レベルになるように制御することを特徴としたものである。
【００２５】
第４の技術手段は、第１乃至第３のいずれか１の技術手段において、前記画像破綻推定手段は、前記レート変換手段における動きベクトルの候補数に基づいて、前記内挿画像信号の画像破綻の程度を推定することを特徴としたものである。
【００２６】
第５の技術手段は、第１乃至第３のいずれか１の技術手段において、前記画像破綻推定手段は、前記レート変換手段における内挿画像へのベクトル割付状態に基づいて、前記内挿画像信号の画像破綻の程度を推定することを特徴としたものである。
【００２７】
第６の技術手段は、第１乃至第３のいずれか１の技術手段において、前記画像破綻推定手段は、前記レート変換手段における動きベクトルの交差数に基づいて、前記内挿画像信号の画像破綻の程度を推定することを特徴としたものである。
【００２８】
第７の技術手段は、第１乃至第６のいずれか１の技術手段において、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを有することを特徴としたものである。
【発明の効果】
【００２９】
本発明によれば、動き補償型のＦＲＣ機能を備えた画像表示装置において、画像破綻時にＦＲＣをオンしたまま内挿画像の輝度を落とすことにより、ＦＲＣの効果を維持しながら、画像破綻による画質劣化を軽減することができる。
【発明を実施するための最良の形態】
【００３０】
以下、添付図面を参照しながら、本発明の画像表示装置の好適な実施の形態について説明する。なお、本発明は、フィールド信号及び内挿フィールド信号、フレーム信号及び内挿フレーム信号のいずれに対しても適用できるものであるが、両者（フィールドとフレーム）は互いに類似の関係にあるため、フレーム信号及び内挿フレーム信号を代表例として説明するものとする。
【００３１】
図１は、本発明の画像表示装置が備える動き補償型フレームレート変換部の構成例を示すブロック図である。図中、１０はフレームレート変換部（以下、ＦＲＣ部）で、該ＦＲＣ部１０は、本発明のレート変換手段に相当し、入力画像信号に含まれる２つの連続したフレーム間で動きベクトルを検出するベクトル検出部１１と、検出した動きベクトルに基づいて内挿フレーム（内挿画像）を生成するフレーム生成部１２とから構成される。なお、ベクトル検出部１１は、動きベクトル検出に反復勾配法を用いた場合の例について示すが、この反復勾配法に限定されず、ブロックマッチング法などを用いてもよい。
【００３２】
ここで、反復勾配法の特徴は、動きベクトルの検出がブロック単位で可能であるため、数種類の動き量が検出でき、また、小領域の動物体でも動きベクトルを検出することができる。また、回路構成も他の方式（ブロックマッチング法など）と比較して小規模で実現することができる。この反復勾配法では、被検出ブロックに対して、すでに検出された近傍のブロックの動きベクトルを初期偏位ベクトルとして、これを起点として勾配法の演算を繰り返す方法が用いられる。この方法によれば、勾配法の繰り返しは２回程度でほぼ正確な動き量を得ることができる。
【００３３】
図１において、ベクトル検出部１１は、入力画像信号（ＲＧＢ信号）から輝度信号（Ｙ信号）を抽出する輝度信号抽出部１１ａと、抽出したＹ信号にＬＰＦを掛けて高域部の帯域を制限するための前処理フィルタ１１ｂと、動き検出用フレームメモリ１１ｃと、初期ベクトル候補を蓄積するための初期ベクトルメモリ１１ｄと、反復勾配法を用いてフレーム間の動きベクトルを検出する動きベクトル検出部１１ｅと、検出した動きベクトルに基づいてフレーム間に内挿ベクトルを割り付ける内挿ベクトル評価部１１ｆと、を備えて構成される。
【００３４】
なお、ＦＲＣ部１０は本発明のレート変換手段に相当し、動きベクトル検出部１１ｅは本発明の動きベクトル検出部に相当し、内挿ベクトル評価部１１ｆは本発明の内挿ベクトル割付部に相当する。
【００３５】
上記反復勾配法の演算は画素の微分成分を用いているため、ノイズの影響を受け易く、また、検出ブロック内の勾配の変化量が多いと演算誤差が大きくなるため、前処理フィルタ１１ｂにおいてＬＰＦをかけて高域部の帯域を制限しておく。初期ベクトルメモリ１１ｄには、初期ベクトル候補として、前々フレームで既に検出されている動きベクトル（初期ベクトル候補）を蓄積しておく。
【００３６】
動きベクトル検出部１１ｅは、初期ベクトルメモリ１１ｄに蓄積されている初期ベクトル候補の中から被検出ブロックの動きベクトルに最も近い動きベクトルを初期ベクトルとして選択する。すなわち、被検出ブロック近傍のブロックにおける既検出動きベクトル（初期ベクトル候補）の中からブロックマッチング法により初期ベクトルを選択する。そして、動きベクトル検出部１１ｅは、選択した初期ベクトルを起点として、勾配法演算によって前フレームと現フレーム間の動きベクトルを検出する。
【００３７】
内挿ベクトル評価部１１ｆは、動きベクトル検出部１１ｅにより検出された動きベクトルを評価し、その評価結果に基づいて最適な内挿ベクトルをフレーム間の内挿ブロックに割り付けて、フレーム生成部１２に出力する。
【００３８】
フレーム生成部１２は、２つの入力フレーム（前フレーム、現フレーム）を蓄積するための内挿用フレームメモリ１２ａと、内挿用フレームメモリ１２ａからの２つの入力フレームと内挿ベクトル評価部１１ｆからの内挿ベクトルとに基づいて内挿フレームを生成する内挿フレーム生成部１２ｂと、入力フレーム（前フレーム、現フレーム）を蓄積するためのタイムベース変換用フレームメモリ１２ｃと、タイムベース変換用フレームメモリ１２ｃからの入力フレームに内挿フレーム生成部１２ｂからの内挿フレームを挿入するタイムベース変換部１２ｄと、を備えて構成される。
【００３９】
なお、内挿フレーム生成部１２ｂは、本発明の内挿画像生成部に相当し、タイムベース変換部１２ｄは、本発明の画像内挿部に相当する。
【００４０】
図２は、フレーム生成部１２による内挿フレーム生成処理の一例を説明するための図である。内挿フレーム生成部１２ｂは、内挿ブロックに割り付けられた内挿ベクトルＶを前フレーム、現フレームに伸ばして、各フレームとの交点近傍の画素を用いて内挿ブロック内の各画素を補間する。例えば、前フレームでは近傍３点よりＡ点の輝度を算出する。現フレームでは近傍３点よりＢ点の輝度を算出する。内挿フレームではＰ点の輝度をＡ点とＢ点の輝度から補間する。Ｐ点の輝度は、例えばＡ点の輝度とＢ点の輝度の平均としてもよい。
【００４１】
上記のようにして生成された内挿フレームは、タイムベース変換部１２ｄに送られる。タイムベース変換部１２ｄは、前フレーム、現フレームの間に、内挿フレームを挟み込んで、フレームレートを変換する処理を行う。このように、ＦＲＣ部１０により、入力画像信号（６０フレーム／秒）を、動き補償された出力画像信号（１２０フレーム／秒）へ変換でき、これを表示パネルに出力することにより、動きぼけを低減して動画質を改善することが可能となる。なお、ここでは、６０フレーム／秒の入力画像信号を、１２０フレーム／秒の出力画像信号にフレームレート変換する場合について説明するが、例えば９０フレーム／秒、１８０フレーム／秒の出力画像信号を得る場合に適用しても良いことは言うまでもない。
【００４２】
本発明の画像表示装置は、図１に示したＦＲＣ部１０を備え、画像破綻時にＦＲＣの効果を維持しながら、画像破綻による画質劣化を軽減することを目的とする。なお、本発明は、液晶ディスプレイ、有機ＥＬディスプレイ、電気泳動ディスプレイなどのホールド型の表示特性を有する画像表示装置全般に適用可能であるが、以下の実施形態においては、表示パネルとして液晶表示パネルを用いた液晶表示装置に本発明を適用した場合を代表例として説明する。
【００４３】
図３は、本発明の一実施形態に係る液晶表示装置の要部構成例を示すブロック図である。図中、液晶表示装置は、ＦＲＣ部１０、画像処理部１３、制御部１４、電極駆動部１５、及び液晶表示パネル１６を備えて構成される。なお、ＦＲＣ部１０、画像処理部１３、電極駆動部１５、及び液晶表示パネル１６は制御部１４に接続され、制御部１４からの指示に従って動作する。
【００４４】
図３において、ＦＲＣ部１０における動きベクトル検出部１１ｅ、内挿ベクトル評価部１１ｆ、内挿フレーム生成部１２ｂ、及びタイムベース変換部１２ｄのみを要部構成として図示し、ＦＲＣ部１０のその他の構成要素については記載を省略するものとする。
【００４５】
画像処理部１３は、ＦＲＣ部１０の前段に設けられ、入力画像信号に対して各種の画像処理を施してＦＲＣ部１０に出力する。
電極駆動部１５は、ＦＲＣ部１０によりフレームレート変換された画像信号に基づいて液晶表示パネル１６の走査電極及びデータ電極を駆動するための表示ドライバである。
液晶表示パネル１６は、液晶層と該液晶層に走査信号及びデータ信号を印加するための電極とを有するアクティブマトリクス型の液晶ディスプレイである。
制御部１４は、上記各部を制御するためのＣＰＵを備え、ＦＲＣ部１０におけるＦＲＣ処理を制御する。
【００４６】
本実施形態の動きベクトル検出部１１ｅは、本発明の画像破綻推定手段に相当し、入力画像信号のフレーム間あるいはフィールド間に内挿される内挿画像信号の内挿画像（内挿フレーム）の破綻の程度を推定する。例えば、動きベクトルの検出精度が下がっている場合には、画像破綻の可能性が高いと考えられる。この場合、動きベクトルの候補数が増大したり、上位候補の評価値に差が少なく明確に動きベクトルを特定することが困難となる。そこで、動きベクトルの候補数が所定値よりも増加した場合に、内挿フレームの破綻と推定する。あるいは、上位候補の評価値の差が所定値よりも小さい場合に、内挿フレームの破綻と推定してもよい。
【００４７】
また、内挿フレーム破綻の推定方法の他の例として、動きベクトルの交差数により内挿フレームの破綻を推定してもよい。例えば、人間が手を振っているような動画像では、動きベクトルの交差数が多くなる。動きベクトルの交差数が多い場合には比較する画像の整合性が取れていないと考えられるため、この交差数が所定値よりも増加した場合に内挿フレームの破綻と推定することができる。
【００４８】
また、内挿フレーム破綻の推定を内挿ベクトル評価部１１ｆで行うようにしてもよい。この内挿ベクトル評価部１１ｆは、前述したように、動きベクトル検出部１１ｅにより検出された動きベクトルを評価し、その評価結果に基づいて最適な内挿ベクトルを入力フレーム間の内挿ブロックに割り付ける。この際、複数の内挿ベクトルが１つの内挿ブロックに割り付けられるケース、あるいは、内挿ベクトルが割り付けられない内挿ブロックが発生するケースが起こり得る。内挿フレームが破綻した状態では、このようなケースが多数発生すると考えられる。そこで、１つの内挿ブロックに割り付けられた内挿ベクトルの数または内挿ベクトルが割り付けられない内挿ブロックの数が所定値よりも増加した場合に内挿フレームの破綻と推定することができる。
【００４９】
図３において、動きベクトル検出部１１ｅまたは内挿ベクトル評価部１１ｆは、入力画像信号に含まれる連続したフレーム間で動きベクトルを検出した結果に基づいて、内挿フレームが破綻すると推定された場合、破綻推定信号を制御部１４に送出する。また、画像処理部１３は、入力画像信号に含まれる入力フレームを特定するためのフレーム信号を制御部１４に送出する。
【００５０】
制御部１４は、動きベクトル検出部１１ｅまたは内挿ベクトル評価部１１ｆからの破綻推定信号と、画像処理部１３からのフレーム信号とに基づいて、タイムベース変換部１２ｄに対して、内挿フレーム輝度制御信号と入力フレーム輝度制御信号を送出する。これらの輝度制御信号は、液晶表示装置に予め設定されている基準輝度レベルに対して、入力フレームの輝度レベルを高くし、内挿フレームの輝度レベルを低くし、入力フレームと内挿フレームの輝度レベルの平均が基準輝度レベルになるように制御するための制御信号である。なお、基準輝度レベルについては、後述の図５において説明するが、液晶表示装置に予め設定されているガンマ特性に基づいて決定されるものであり、通常使用時に入力映像信号を表示させる際の本来の輝度レベルとなる。
【００５１】
タイムベース変換部１２ｄは、内挿フレーム生成部１２ｂで生成された内挿フレームを入力フレーム間に内挿する際に、制御部１４からの入力フレーム輝度制御信号と内挿フレーム輝度制御信号とに基づいて、入力フレームの輝度レベルを基準輝度レベルよりも高く表示し、内挿フレームの輝度レベルを基準輝度レベルよりも低く表示するように電極駆動部１５に指示する。なお、入力フレームと内挿フレームの輝度レベルの平均は基準輝度レベルとなる。
【００５２】
上記例では、画像破綻の程度として、所定値を用いて画像破綻するか否か（すなわち、画像破綻の有無）を推定していたが、このような画像破綻の有無に限らず、画像破綻の程度を例えば大中小などの複数段階に分けて推定してもよい。この場合、画像破綻推定手段である動きベクトル検出部１１ｅまたは内挿ベクトル評価部１１ｆにより、内挿フレームの画像破綻の程度を示す指標（動きベクトルの候補数など）が例えば大中小のどの段階にあるかを判定し、この判定結果に基づいて画像破綻の程度（大中小）を推定する。制御部１４は、画像破綻の程度に応じて、入力フレームと内挿フレームの輝度レベルを変化させるための輝度制御信号をタイムベース変換部１２ｄに送出する。タイムベース変換部１２ｄは、制御部１４からの輝度制御信号に従って、入力フレームと内挿フレームの輝度レベルを変化させる。
【００５３】
画像破綻の程度を推定するための指標として、前述したように、動きベクトルの候補数、上位候補の評価値の差、動きベクトルの交差数、１つの内挿ブロックに割り付けられた内挿ベクトルの数、内挿ベクトルが割り付けられない内挿ブロックの数などが考えられる。例えば、これらの指標の段階（大中小など）と、入力フレームと内挿フレームの輝度レベルの変化量とを対応付けたテーブルデータを図示しないメモリに記憶しておいてもよい。動きベクトルの候補数について例示すると、候補数が５未満（程度が小）、５以上１０未満（程度が中）、１０以上（程度が大）などの段階に分け、５未満の場合には画像破綻の程度が小さいと推定されるため、内挿フレームの輝度レベルの変化量を比較的小さくし、一方、１０以上の場合には画像破綻の程度が大きいと推定されるため、内挿フレームの輝度レベルの変化量を比較的大きくするなどの設定を行えば、画像破綻の程度に応じて、画質劣化を効果的に軽減することができる。
【００５４】
このように、動き補償型のＦＲＣ処理において、内挿フレームの破綻が推定される場合には、ＦＲＣをオンしたまま、内挿フレームの輝度レベルを落として暗くすることで、内挿フレームの破綻による画質劣化を目立たないようにすることができる。また、内挿フレームの輝度レベルを落とすことによる最大輝度の低下を入力フレームの輝度レベルを高くすることで補償しているため、視聴者の目には本来の輝度レベルが維持されているように感じられる。
【００５５】
ここで、内挿フレームの輝度レベルを下げるほど（黒に近いほど）、内挿フレームと入力フレームの輝度差が大きくなり、フリッカが目立つ傾向にあるため、内挿フレームの輝度レベルは基準輝度レベルに対して大きく変化させないことが望ましい。なお、入力フレーム及び内挿フレームに対する輝度レベルの設定は、制御部１４がその都度計算することで行ってもよいし、輝度レベル設定用のルックアップテーブルを設けておき、このテーブルに基づいて行ってもよい。
【００５６】
図４は、本発明の液晶表示装置による画像破綻時のＦＲＣ処理の一例を説明するための図である。図中、ｆ１〜ｆ３は入力画像信号に含まれる入力フレーム、ｉ１，ｉ２は入力フレーム間に内挿する内挿フレームを示す。前述したように、制御部１４は、動きベクトル検出部１１ｅまたは内挿ベクトル評価部１１ｆから破綻推定信号を受け付けると、ＦＲＣ部１０に対して、入力フレームｆ１〜ｆ３の輝度レベルを基準輝度レベルより高くし、内挿フレームｉ１，ｉ２の輝度レベルを基準輝度レベルより低く設定するための輝度制御信号を送出する。ＦＲＣ部１０は、制御部１４からの輝度制御信号に従って、入力フレームｆ１〜ｆ３及び内挿フレームｉ１，ｉ２の輝度レベルを設定する。
【００５７】
図５は、図４に示したＦＲＣ処理に適用されるガンマ特性の一例を示す図である。図中、縦軸を表示輝度、横軸を階調とする。図５（Ａ）は液晶表示装置の通常使用時におけるガンマ特性（基準輝度レベル）を示し、図５（Ｂ）は画像破綻時に入力フレームｆ１〜ｆ３に適用されるガンマ特性、図５（Ｃ）は画像破綻時に内挿フレームｉ１，ｉ２に適用されるガンマ特性を示す。このように、入力フレームｆ１〜ｆ３は中間階調の輝度レベルが高くなるようなガンマ特性となり、内挿フレームｉ１，ｉ２は中間階調の輝度レベルが低くなるようなガンマ特性となる。なお、入力フレームの輝度レベルと内挿フレームの輝度レベルとの平均は図５（Ａ）に示す基準輝度レベルとなる。
【００５８】
以上説明したように、本発明によれば、動き補償型のＦＲＣ処理において、画像破綻時に内挿画像の輝度を落として暗くすることにより、動的反応速度を向上させ、画像破綻による画質劣化を軽減することができる。
また、画像破綻時において、ＦＲＣ処理をオフすることなく内挿画像の輝度を低くした場合に、原画像の輝度を高くして補償しているため、動き補償によるＦＲＣの効果を維持しながら、最大輝度の低下を抑えることができる。
【図面の簡単な説明】
【００５９】
【図１】本発明の画像表示装置が備える動き補償型フレームレート変換部の構成例を示すブロック図である。
【図２】フレーム生成部による内挿フレーム生成処理の一例を説明するための図である。
【図３】本発明の一実施形態に係る液晶表示装置の要部構成例を示すブロック図である。
【図４】本発明の液晶表示装置による画像破綻時のＦＲＣ処理の一例を説明するための図である。
【図５】図４に示したＦＲＣ処理に適用されるガンマ特性の一例を示す図である。
【図６】従来の液晶表示装置におけるＦＲＣ駆動表示回路の概略構成を示すブロック図である。
【図７】図６に示した従来のＦＲＣ駆動表示回路によるフレームレート変換処理を説明するための図である。
【図８】動きベクトル検出部及び内挿フレーム生成部による内挿フレーム生成処理について説明するための図である。
【図９】フレーム間に原画像と同一画像を暗めにして（輝度を落として）挿入する方法を説明するための図である。
【符号の説明】
【００６０】
１０，１００…フレームレート変換（ＦＲＣ）部、１１…ベクトル検出部、１１ａ…輝度信号抽出部、１１ｂ…前処理フィルタ、１１ｃ…動き検出用フレームメモリ、１１ｄ…初期ベクトルメモリ、１１ｅ，１０１…動きベクトル検出部、１１ｆ…内挿ベクトル評価部、１２…フレーム生成部、１２ａ…内挿用フレームメモリ、１２ｂ，１０２…内挿フレーム生成部、１２ｃ…タイムベース変換用フレームメモリ、１２ｄ…タイムベース変換部、１３…画像処理部、１４…制御部、１５，１０３…電極駆動部、１６，１０４…液晶表示パネル。
【図１】
2009258269.tif 000003
【図２】
2009258269.tif 000004
【図３】
2009258269.tif 000005
【図４】
2009258269.tif 000006
【図５】
2009258269.tif 000007
【図６】
2009258269.tif 000008
【図７】
2009258269.tif 000009
【図８】
2009258269.tif 000010
【図９】
2009258269.tif 000011